(57)【特許請求の範囲】
【請求項１】
カバー開閉支点を支点として開閉する上面カバーに硬貨一時置場を備えた現金処理装置において、
前記上面カバーの硬貨一時置場のカバー開閉支点側に硬貨落下防止部材を有し、
前記硬貨落下防止部材は、前記上面カバーに固定され、前記カバー開閉支点と反対側のみに開口部を有する覆い形状としたことを特徴とする現金処理装置。
【請求項２】
カバー開閉支点を支点として開閉する上面カバーに硬貨一時置場を備えた現金処理装置において、
前記上面カバーの硬貨一時置場のカバー開閉支点側に硬貨落下防止部材を有し、
前記硬貨落下防止部材は、前記カバー開閉支点と反対側の上部に回転支点を有し、当該回転支点を支点として上面カバーに突出するように引き出すことができるようにしたことを特徴とする現金処理装置。
【請求項３】
カバー開閉支点を支点として開閉する上面カバーに硬貨一時置場を備えた現金処理装置において、
前記上面カバーの硬貨一時置場のカバー開閉支点側に硬貨落下防止部材を有し、
前記硬貨落下防止部材は、前記カバー開閉支点と反対側の上部に備えた回転支点と、当該回転支点を中心としたギア部を備え、装置本体側には、本体側歯車と、当該本体側歯車と前記ギア部間に歯車を備えたことを特徴とする現金処理装置。
【請求項４】
カバー開閉支点を支点として開閉する上面カバーに硬貨一時置場を備えた現金処理装置において、
前記上面カバーの硬貨一時置場のカバー開閉支点側に硬貨落下防止部材を有し、
前記硬貨落下防止部材は、前記カバー開閉支点と反対側の上部に回転支点を有し自重により前記上面カバーより突出するように回転自在としたことを特徴とする現金処理装置。
【請求項５】
カバー開閉支点を支点として開閉する上面カバーに硬貨一時置場を備えた現金処理装置において、
前記上面カバーの硬貨一時置場のカバー開閉支点側に硬貨落下防止部材を有し、
前記硬貨落下防止部材は、前記カバー開閉支点と反対側端部に回転支点を有し自重により回転する底部を装置本体側に設けた回転ガイドにより支持するようにしたことを特徴とする現金処理装置。
【請求項６】
カバー開閉支点を支点として開閉する上面カバーに硬貨一時置場を備えた現金処理装置において、
前記上面カバーの硬貨一時置場に、略中央位置に回転支点を有し自重により水平位置を維持し前記上面カバーを開いたときに前記上面カバーより突出するように回転する硬貨落下防止部材を設けたことを特徴とする現金処理装置。
【発明の詳細な説明】
【技術分野】
【０００１】
本発明は、開閉するカバーに硬貨の一時置き場を設けた現金処理装置における硬貨の落下防止構造に関するものである。
【背景技術】
【０００２】
一般に、スーパやコンビニエンスストアなどに設置されるレジスタ装置やＰＯＳ端末装置では、その下側に釣銭の払出しや客から預かった紙幣や硬貨を収納する現金処理機が配置されている。
【０００３】
この従来の現金処理装置は、図７に示したように、装置前面を覆う前面カバー１と、硬貨３０を投入する硬貨投入口２と、紙幣を投入する紙幣投入口３と、機構部等を内蔵する装置本体４と、カバー開閉支点５ｃを支点として開閉可能な上面カバー５と、硬貨３０を一時的に置いておく硬貨一時置場６と、を備え、硬貨投入口２から投入された硬貨３０や紙幣投入口３から投入された紙幣の枚数の計数処理、金額の集計処理、定期的に売上等を確定させるための締め処理、カセット等への現金の格納などの処理が行えるようになっている。
【０００４】
そして、現金処理装置２０内を効率的に保守できるようにするために、カバー開閉支点５ｃを装置背面側に設け、矢印Ｂのように上面カバー５を開くことができる構造となっている（例えば、特許文献１参照）。
【先行技術文献】
【特許文献】
【０００５】
【特許文献１】特開平６−２７２４５３号公報
【発明の概要】
【発明が解決しようとする課題】
【０００６】
しかしながら、上記従来の現金処理装置では、硬貨３０を投入する際に、硬貨一時置場６に硬貨３０を置いた状態で上面カバー５を矢印Ｂのように開くと、硬貨３０が矢印Ｃのように硬貨一時置場６から上面カバー５上を滑り落ち、紛失したりするという問題があった。
【課題を解決するための手段】
【０００７】
本発明は、前述の課題を解決するために次の構成を採用する。すなわち、カバー開閉支点を支点として開閉する上面カバーに硬貨一時置場を備えた現金処理装置において、前記上面カバーの硬貨一時置場のカバー開閉支点側に硬貨落下防止部材を有し、前記硬貨落下防止部材は、前記上面カバーに固定され、前記カバー開閉支点と反対側のみに開口部を有する覆い形状とした。
【０００８】
或いは、カバー開閉支点を支点として開閉する上面カバーに硬貨一時置場を備えた現金処理装置において、前記上面カバーの硬貨一時置場のカバー開閉支点側に硬貨落下防止部材を有し、前記硬貨落下防止部材は、前記カバー開閉支点と反対側の上部に回転支点を有し、当該回転支点を支点として上面カバーに突出するように引き出すことができるようにした。
【０００９】
或いは、カバー開閉支点を支点として開閉する上面カバーに硬貨一時置場を備えた現金処理装置において、前記上面カバーの硬貨一時置場のカバー開閉支点側に硬貨落下防止部材を有し、前記硬貨落下防止部材は、前記カバー開閉支点と反対側の上部に備えた回転支点と当該回転支点を中心としたギア部を備え、装置本体側には、本体側歯車と、当該本体側歯車と前記ギア部間に歯車を設けた。
【００１０】
或いは、カバー開閉支点を支点として開閉する上面カバーに硬貨一時置場を備えた現金処理装置において、前記上面カバーの硬貨一時置場のカバー開閉支点側に硬貨落下防止部材を有し、前記硬貨落下防止部材は、前記カバー開閉支点と反対側の上部に回転支点を有し自重により前記上面カバーより突出するように回転自在とした。
【００１１】
或いは、カバー開閉支点を支点として開閉する上面カバーに硬貨一時置場を備えた現金処理装置において、前記上面カバーの硬貨一時置場のカバー開閉支点側に硬貨落下防止部材を有し、前記硬貨落下防止部材は、前記カバー開閉支点と反対側端部に回転支点を有し自重により回転する底部を装置本体側に設けた回転ガイドにより支持するようにした。
【００１２】
或いは、別の発明では、カバー開閉支点を支点として開閉する上面カバーに硬貨一時置場を備えた現金処理装置において、前記上面カバーの硬貨一時置場に、略中央位置に回転支点を有し自重により水平位置を維持し前記上面カバーを開いたときに前記上面カバーより突出するように回転する硬貨落下防止部材を設けた。
【発明の効果】
【００１３】
本発明の現金処理装置によれば、以上のように構成したので、上面カバーを開いたときに硬貨が硬貨一時置場から上面カバー上を滑り落ち、紛失したりすることがない。
【図面の簡単な説明】
【００１４】
【図１】実施例１の現金処理装置の構成および動作説明図である。
【図２】実施例２の現金処理装置の構成および動作説明図である。
【図３】実施例３の現金処理装置の構成および動作説明図である。
【図４】実施例４の現金処理装置の構成および動作説明図である。
【図５】実施例５の現金処理装置の構成および動作説明図である。
【図６】実施例６の現金処理装置の構成および動作説明図である。
【図７】従来の現金処理装置の構成および動作説明図である。
【発明を実施するための形態】
【００１５】
以下、本発明に係わる実施の形態例を、図面を用いて説明する。図面に共通する要素には同一の符号を付す。なお、以下の説明では、硬貨等の現金を取り扱う現金処理金装置を例として説明するが、コインなどを取り扱うコイン処理装置などであってもよい。また、以下の実施例の説明では、現金処理装置にレジスタ装置やＰＯＳ端末装置を接続した形態として説明するが、現金処理装置を単独にて設置する形態であってもよい。
【実施例１】
【００１６】
（構成）
実施例１の現金処理装置２０の構成は、硬貨落下防止部材７に係る構成のほかは図７を用いて説明した従来の現金処理装置２０の構成と同様であるので、同様の構成については簡略化のためにその詳細な説明は省略する。
【００１７】
図１は、実施例１の現金処理装置２０の構成図であり、図１（ａ）は外観斜視図、図１（ｂ）は図１（ａ）のＡ−Ａ断面図である。
【００１８】
同図に示したように、実施例１の現金処理装置２０では、上面カバー２０の硬貨一時置場６のカバー開閉支点５ｃ側に硬貨落下防止部材７として覆い形状を設けている。
【００１９】
（動作）
以上の構成により実施例１の現金処理装置２０は、以下のように動作する。最初に、前述の図１を用いて硬貨３０を入金する動作を説明する。
【００２０】
まず、現金処理装置２０に接続された図示しないレジスタ装置やＰＯＳ端末装置のカード読取部にオペレータ等がそれぞれ所持する磁気カードを通し、操作する者が店員、保守員、警送員のいずれであるかを判定し、当該判定結果に応じて操作モードを切り替え、紙幣や硬貨の入金操作や、装置本体４内の金庫部から現金の回収操作、メンテナンス操作などが行われる。
【００２１】
そして、現金処理装置２０に硬貨３０を入金するときは、一度に硬貨投入口１１に入る投入枚数には制限があるため、一旦、硬貨３０を硬貨一時置場６に置く。
【００２２】
そして、硬貨一時置場６に置いた硬貨３０を硬貨投入口２が一杯になるまで投入し、投入された硬貨３０の鑑別が行われ、鑑別された硬貨３０が金庫部に搬送されると、硬貨一時置場６に残っている硬貨３０を硬貨投入口２が一杯になるまで投入し、この作業を繰り返し行う。
【００２３】
このとき、現金処理装置２０に障害等が発生すると、装置内部の保守を行うために、図示しないレジスタ装置やＰＯＳ端末装置からその下側に配置されている現金処理装置２０を分離し、図１（ｂ）の破線のように上面カバー５を矢印Ｂ方向に開く。
【００２４】
すると、硬貨一時置場６に置かれたままの硬貨３０がカバー開閉支点５ｃ側、すなわち、装置背面側に向かって矢印Ｃのように滑って行くが、上面カバー５に固定して設けた覆い形状、すなわち硬貨落下防止部材７に受け止められる。
【００２５】
そして、ジャム除去などのメンテナンス操作を完了した後、上面カバー５を閉じると、硬貨落下防止部材７に受け止められた硬貨３０は硬貨一時置き場６に戻る。
【００２６】
（実施例１の効果）
以上のように実施例１の硬貨処理装置によれば、カバー開閉支点を支点として開閉する上面カバーに硬貨一時置場を備えた現金処理装置において、前記硬貨一時置場のカバー開閉支点側に前記上面カバーに固定された覆い形状を設けたので、上面カバーを開いたときに硬貨が硬貨一時置場から上面カバー上を滑り落ち、紛失したりすることがない。
【実施例２】
【００２７】
（構成）
実施例２の現金処理装置２０の構成も、硬貨落下防止部材１７に係る構成のほかは図７を用いて説明した従来の現金処理装置２０の構成と同様であるので、同様の構成については簡略化のためにその詳細な説明は省略する。
【００２８】
図２は、実施例２の現金処理装置２０の構成図であり、図２（ａ）は外観斜視図、図２（ｂ）は図２（ａ）のＡ−Ａ断面図である。
【００２９】
同図に示したように、実施例２の現金処理装置２０では、上面カバー２０の硬貨一時置場６のカバー開閉支点５ｃ側に、回転支点８を支点として上面カバー５上に引き出すことができる硬貨落下防止部材１７を設けている。
【００３０】
（動作）
以上の構成により実施例２の現金処理装置２０は、以下のように動作する。なお、硬貨３０を入金する動作については実施例１の現金処理装置２０の動作と同様であるので簡略化のためにその詳細な説明は省略する。
【００３１】
現金処理装置２０に障害等が発生すると、装置内部の保守を行うために、図示しないレジスタ装置やＰＯＳ端末装置からその下側に配置されている現金処理装置２０を分離し、硬貨落下防止部材１７を図２（ｂ）の矢印Ｄのように回転して破線のように引き出す。そして、上面カバー５を矢印Ｂのように開く。
【００３２】
すると、硬貨一時置場６に置いた硬貨３０は、硬貨一時置き場６の傾斜を滑って矢印Ｃのように落下するが、引き出された硬貨落下防止部材１７に受け止められる。
【００３３】
そして、ジャム除去などのメンテナンス操作を完了した後、上面カバー５を閉じると、硬貨落下防止部材１７に受け止められた硬貨３０は硬貨一時置き場６に戻る。
【００３４】
（実施例２の効果）
以上のように、実施例２の現金処理装置によれば、カバー開閉支点を支点として開閉する上面カバーに硬貨一時置場を備えた現金処理装置において、上面カバーの硬貨一時置場のカバー開閉支点側に、前記カバー開閉支点と反対側の上部に回転支点を有し当該回転支点を支点として上面カバー上に引き出すことができる硬貨落下防止部材を設けたので、実施例１の効果に加え、通常時は上面カバー内に硬貨落下防止部材を収納でき、省スペースとすることができる。
【実施例３】
【００３５】
（構成）
実施例３の現金処理装置２０の構成も、硬貨落下防止部材２７に係る構成のほかは図７を用いて説明した従来の現金処理装置２０の構成と同様であるので、同様の構成については簡略化のためにその詳細な説明は省略する。
【００３６】
図３は、実施例３の現金処理装置２０の構成図であり、図３（ａ）は外観斜視図、図３（ｂ）は図３（ａ）のＡ−Ａ断面図である。
【００３７】
同図に示したように、実施例３の現金処理装置２０では、上面カバー２０の硬貨一時置場６のカバー開閉支点５ｃ側に、硬貨落下防止部材２７を設けている。
【００３８】
そして、硬貨落下防止部材２７には、回転支点８とギア部１１を同図のように備え、装置本体側には、装置本体側に固定された本体側歯車１９と、当該本体側歯車１９と前記ギア部１１間に装置本体側に固定された歯車１０を配した構成となっている。
【００３９】
（動作）
以上の構成により実施例３の現金処理装置２０は、以下のように動作する。なお、硬貨３０を入金する動作については実施例１の現金処理装置２０の動作と同様であるので簡略化のためにその詳細な説明は省略する。
【００４０】
現金処理装置２０に障害等が発生すると、装置内部の保守を行うために、図示しないレジスタ装置やＰＯＳ端末装置からその下側に配置されている現金処理装置２０を分離し、上面カバー５を図３（ｂ）の矢印Ｂのように開く。
【００４１】
すると、固定された本体側歯車１９に噛み合った歯車１０が矢印Ｅ方向に回転し、この回転により硬貨落下防止部材２７に備えたギア部１１により硬貨落下防止部材２７が回転支点８を支点として矢印Ｆ方向に徐々に回転し破線のように上面カバー５から突出する。
【００４２】
すると、硬貨一時置場６に置いた硬貨３０は、硬貨一時置き場６の傾斜を滑って矢印Ｃのように落下するが、上面カバー５より突出した硬貨落下防止部材２７に受け止められる。
【００４３】
そして、ジャム除去などのメンテナンス操作を完了した後、上面カバー５を閉じると、固定された本体側歯車１９に噛み合った歯車１０が矢印Ｅ方向とは反対方向に回転し、この回転により硬貨落下防止部材２７に備えたギア部１１により硬貨落下防止部材２７が回転支点８を支点として矢印Ｆ方向と逆方向に回転し、実線の位置まで徐々に回転して、上面カバー５内に収納され、硬貨落下防止部材２７に受け止められた硬貨３０は硬貨一時置き場６に戻る。
【００４４】
（実施例３の効果）
以上のように、実施例３の現金処理装置によれば、カバー開閉支点を支点として開閉する上面カバーに硬貨一時置場を備えた現金処理装置において、上面カバーの硬貨一時置場のカバー開閉支点側に硬貨落下防止部材を設け、前記硬貨落下防止部材は、前記カバー開閉支点と反対側の上部に備えた回転支点と当該回転支点を中心としたギア部を備え、装置本体側には、本体側歯車と、当該本体側歯車と前記ギア部間に歯車を備えたので、手動による操作を要することなく、実施例２と同様の効果を奏することができる。
【実施例４】
【００４５】
（構成）
実施例４の現金処理装置２０の構成も、硬貨落下防止部材３７に係る構成のほかは図７を用いて説明した従来の現金処理装置２０の構成と同様であるので、同様の構成については簡略化のためにその詳細な説明は省略する。
【００４６】
図４は、実施例４の現金処理装置２０の構成図であり、図４（ａ）は外観斜視図、図４（ｂ）は図４（ａ）のＡ−Ａ断面図である。
【００４７】
同図に示したように、実施例４の現金処理装置２０では、上面カバー２０の硬貨一時置場６のカバー開閉支点５ｃ側に、回転支点８を支点として回転自在とした硬貨落下防止部材３７と、実線の硬貨落下防止部材３７の位置より矢印Ｇとは反対方向への回転を規制する規制部材３９を設けている。なお、規制部材３９を備えない構成としてもよい。
【００４８】
（動作）
以上の構成により実施例４の現金処理装置２０は、以下のように動作する。なお、硬貨３０を入金する動作については実施例１の現金処理装置２０の動作と同様であるので簡略化のためにその詳細な説明は省略する。
【００４９】
現金処理装置２０に障害等が発生すると、装置内部の保守を行うために、図示しないレジスタ装置やＰＯＳ端末装置からその下側に配置されている現金処理装置２０を分離し、上面カバー５を図４（ｂ）の矢印Ｂのように開く。
【００５０】
すると、上面カバー５を開くとともに、硬貨落下防止部材３７は自重により矢印Ｇ方向に回転し、破線のように上面カバー５より突出する。
【００５１】
このとき、硬貨一時置場６に置いた硬貨３０は、硬貨一時置き場６の傾斜を滑って矢印Ｃのように落下するが、上面カバー５より突出された硬貨落下防止部材３７に受け止められる。
【００５２】
そして、ジャム除去などのメンテナンス操作を完了した後、上面カバー５を閉じると、硬貨落下防止部材３７は自重により矢印Ｇ方向とは逆方向に回転し、実線のように規制部材３９にて規制される位置まで回転して上面カバー５内に収納され、硬貨落下防止部材３７に受け止められた硬貨３０は硬貨一時置き場６に戻る。
【００５３】
（実施例４の効果）
以上のように、実施例４の現金処理装置によれば、カバー開閉支点を支点として開閉する上面カバーに硬貨一時置場を備えた現金処理装置において、上面カバーの硬貨一時置場のカバー開閉支点側に、前記カバー開閉支点と反対側の上部に回転支点を有し上面カバーを開いたときに自重により上面カバーより突出するように回転自在の硬貨落下防止部材を設けたので、簡易な構成により実施例３と同様の効果を奏することができる。
【実施例５】
【００５４】
（構成）
実施例５の現金処理装置２０の構成も、硬貨落下防止部材４７に係る構成のほかは図７を用いて説明した従来の現金処理装置２０の構成と同様であるので、同様の構成については簡略化のためにその詳細な説明は省略する。
【００５５】
図５は、実施例５の現金処理装置２０の構成図であり、図５（ａ）は外観斜視図、図５（ｂ）は図５（ａ）のＡ−Ａ断面図である。
【００５６】
同図に示したように、実施例５の現金処理装置２０では、上面カバー２０の硬貨一時置場６に、略中央位置に設けた回転支点４８を支点として矢印Ｇ方向に回転自在で、実線位置よりＧ方向とは反対方向への回転を規制部材４９にて規制された硬貨落下防止部材４７を設けている。なお、規制部材４９を備えない構成としてもよい。
【００５７】
（動作）
以上の構成により実施例５の現金処理装置２０は、以下のように動作する。なお、硬貨３０を入金する動作については実施例１の現金処理装置２０の動作と同様であるので簡略化のためにその詳細な説明は省略する。
【００５８】
現金処理装置２０に障害等が発生すると、装置内部の保守を行うために、図示しないレジスタ装置やＰＯＳ端末装置からその下側に配置されている現金処理装置２０を分離し、上面カバー５を図５（ｂ）の矢印Ｂのように開く。
【００５９】
すると、上面カバー５を開くとともに、硬貨落下防止部材４７は自重により水平方向を維持しながら矢印Ｇ方向に回転し、破線のように上面カバー５より突出する。
【００６０】
このとき、硬貨一時置場６に置いた硬貨３０は、水平に維持される硬貨落下防止部材４７上に置かれた状態が維持される。
【００６１】
そして、ジャム除去などのメンテナンス操作を完了した後、上面カバー５を閉じると、硬貨落下防止部材４７は自重により矢印Ｇ方向とは逆方向に回転し、図５（ｂ）の実線で示したように規制部材４９により回転が規制されるまで回転し上面カバー５内に収納され、硬貨落下防止部材４７に置かれた硬貨３０は硬貨一時置き場６に戻る。
【００６２】
（実施例５の効果）
以上のように、実施例５の現金処理装置によれば、カバー開閉支点を支点として開閉する上面カバーに硬貨一時置場を備えた現金処理装置において、上面カバーの硬貨一時置場に、略中央位置に回転支点を有し自重により水平位置を維持し上面カバーを開いたときに上面カバーより突出するように回転する硬貨落下防止部材を設けたので、実施例４の効果に加え、大きな受け皿とすることができ、さらに確実に硬貨の落下および紛失を防止することができる。
【実施例６】
【００６３】
（構成）
実施例６の現金処理装置２０の構成も、硬貨落下防止部材５７に係る構成のほかは図７を用いて説明した従来の現金処理装置２０の構成と同様であるので、同様の構成については簡略化のためにその詳細な説明は省略する。
【００６４】
図６は、実施例６の現金処理装置２０の構成図であり、図６（ａ）は外観斜視図、図６（ｂ）は図６（ａ）のＡ−Ａ断面図である。
【００６５】
同図に示したように、実施例６の現金処理装置２０では、上面カバー２０の硬貨一時置場６のカバー開閉支点５ｃ側に、回転支点５８を有する硬貨落下防止部材５７を設け、硬貨落下防止部材５７の自重による矢印Ｈ方向への回転を回転ガイド６８により支持した構成となっている。
【００６６】
（動作）
以上の構成により実施例６の現金処理装置２０は、以下のように動作する。なお、硬貨３０を入金する動作については実施例１の現金処理装置２０の動作と同様であるので簡略化のためにその詳細な説明は省略する。
【００６７】
現金処理装置２０に障害等が発生すると、装置内部の保守を行うために、図示しないレジスタ装置やＰＯＳ端末装置からその下側に配置されている現金処理装置２０を分離し、上面カバー５を図６（ｂ）の矢印Ｂのように開く。
【００６８】
すると、上面カバー５を開くとともに、硬貨落下防止部材５７は回転ガイド６８から離れ、回転ガイド６８により底部をガイドされながら、自重により矢印Ｈ方向に回転し、硬貨落下防止部材５７ａのように回転し、さらには硬貨落下防止部材５７ｂのように回転し、上面カバー５内に入り込む。
【００６９】
このとき、硬貨一時置場６に置いた硬貨３０は、硬貨一時置き場６の傾斜を滑って矢印Ｃのように落下するが、矢印Ｈ方向に回転し略垂直方向に維持された硬貨落下防止部材５７ａ、５７ｂに受け止められる。
【００７０】
そして、ジャム除去などのメンテナンス操作を完了した後、上面カバー５を閉じると、硬貨落下防止部材５７は自重により矢印Ｈ方向とは逆方向に回転し、その底部が回転ガイド６８に当接してガイドされ、硬貨落下防止部材５７ａの位置を経て実線の硬貨落下防止部材５７の位置となり、硬貨落下防止部材５７に受け止められた硬貨３０は硬貨一時置き場６に戻る。
【００７１】
（実施例６の効果）
以上のように、実施例６の現金処理装置によれば、カバー開閉支点を支点として開閉する上面カバーに硬貨一時置場を備えた現金処理装置において、上面カバーの硬貨一時置場のカバー開閉支点側に、前記カバー開閉支点と反対側端部に回転支点を有する硬貨落下防止部材を設け、自重により回転する底部を回転ガイドにより支持するようにしたので、実施例４の効果に加え、上部カバーを開いたときでも硬貨落下防止部材が上部カバーより突出することがなくさらに省スペースとすることができる。
【００７２】
《その他の変形例》
なお、以上の実施例の説明では、装置背面側にカバー開閉支点５ｃを備え上面カバー５を背面側に開閉する例として説明したが、左右側面にカバー開閉支点５ｃを備え上面カバー５を左右に開閉するカバーであってもよい。この場合もカバー開閉支点５ｃ側に、落下する硬貨を受け止める前記実施例記載の硬貨落下防止部材７、１７、２７、３７、４７、または５７を設けるようにすればよい。
【産業上の利用可能性】
【００７３】
以上述べたように、本発明は、開閉する上面カバーに硬貨の一時置場を設けた現金処理装置に広く用いることができる。
【符号の説明】
【００７４】
１    前面カバー
２    硬貨投入口
４    装置本体
５    上面カバー
６    硬貨一時置場
７、１７、２７、３７、４７、５７、５７ａ、５７ｂ    硬貨落下防止部材
８、４８、５８    回転支点
１０  歯車
１１  ギア部
１９  本体側歯車
２０  硬貨処理装置
３０  硬貨
３９、４９  規制部材
６８  回転ガイド
【図１】
0005742473.tif 000002
【図２】
0005742473.tif 000003
【図３】
0005742473.tif 000004
【図４】
0005742473.tif 000005
【図５】
0005742473.tif 000006
【図６】
0005742473.tif 000007
【図７】
0005742473.tif 000008